(57)【要約】【課題】便座支持部材を下降させてから所定時間は自動開閉が停止されるので、この間に便座の回動に邪魔されることなく清掃を効率良く行うことができる便器設備を提供する。【解決手段】便座支持部材２に対し便座３ｅ及び便蓋３ｆが自動開閉するように取り付けられている。便座支持部材２のフロントベースプレート３ａに開閉ユニット１３及び温水洗浄ノズル１０，１１が設置されている。リアベースプレート４ａに浮上ユニット２０が設けられている。便座支持部材２が便器本体１上に着底すると、それから所定時間ｔの間は便座３ｅ及び便蓋３ｆの自動開閉が停止される。【選択図】　図４
2004113297.tif 000002
【特許請求の範囲】
【請求項１】
便器本体と、
該便器本体に昇降可能に設けられた便座支持部材と、
該便座支持部材に起倒可能に支持された便座と、
該便座を開閉駆動する開閉ユニットと、
を有する便器設備において、
該便座支持部材が上昇中及び上昇した後の所定時間の間、該開閉ユニットによる便座の自動開閉を停止させる手段を備えたことを特徴とする便器設備。
【請求項２】
便器本体と、
該便器本体に昇降可能に設けられた便座支持部材と、
該便座支持部材に起倒可能に支持された便座と、
該便座を開閉駆動する開閉ユニットと、
を有する便器設備において、
該便座支持部材が降下中及び便器本体上に降下した後の所定時間の間、該開閉ユニットによる便座の自動開閉を停止させる手段を備えたことを特徴とする便器設備。
【請求項３】
請求項２において、便座支持部材が上昇を開始してから前記降下後の所定時間が経過するまでの間、便座の自動開閉を停止させることを特徴とする便器設備。
【請求項４】
請求項１ないし３のいずれか１項において、前記所定時間を任意に設定する手段をリモコン又は便器設備に備えたことを特徴とする便器設備。
【請求項５】
請求項１ないし４のいずれか１項において、該便座支持部材が上昇する前の状態にあるときに該開閉ユニットによる便座の自動開閉を停止させるマニュアル停止手段を備えたことを特徴とする便器設備。
【請求項６】
請求項５において、該マニュアル停止手段は、リモコンに設けられた複数のスイッチが特定の順番にて操作されることにより自動開閉を停止させるものであることを特徴とする便器設備。
【請求項７】
請求項１ないし６のいずれか１項において、前記所定時間が経過する前に警報を発することを特徴とする便器設備。
【発明の詳細な説明】
【０００１】
【発明の属する技術分野】
本発明は、便座支持部材を昇降させる機構を備えた便器設備に関する。
【０００２】
【従来の技術】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材を洋風便器に対し上下動可能とし、洋風便器の清掃時に便座支持部材を便座と共に上方に移動（浮上）させるようにしたものが提案されている（特開２０００−３３０５１号公報）。
【０００４】
また、特開２００１−３４８９３３号公報には、便座、便蓋の自動開閉機構を備えた便器装置において、便器清掃時に便座、便蓋が自動開閉して清掃の邪魔になることを防止するために、自動開閉停止スイッチを設けること；及び、この停止スイッチが操作されてから所定時間が経過すると自動的に自動開閉モードに復帰させることが記載されている。
【０００５】
【特許文献１】
特開２０００−３３０５１号公報
【特許文献２】
特開２００１−３４８９３３号公報
【０００６】
【発明が解決しようとする課題】
上記特開２００１−３４８９３３号に記載された、自動開閉停止スイッチにより自動開閉を停止させ、所定時間後に自動開閉モードに復帰させる便器設備の場合、この所定時間が短いと便器清掃に十分な時間をかけることができない。該所定時間が長すぎると、清掃を手短かに済ませた場合、清掃終了後も徒に長時間にわたり自動開閉が実行されないことになる。
【０００７】
本発明は、便座支持部材を昇降式とした便器設備において、清掃時における自動開閉停止モード時間を適正化することができる便器設備を提供することを目的とする。
【０００８】
【課題を解決するための手段】
本発明（請求項１）の便器設備は、便器本体と、該便器本体に昇降可能に設けられた便座支持部材と、該便座支持部材に起倒可能に支持された便座と、該便座を開閉駆動する開閉ユニットと、を有する便器設備において、該便座支持部材が上昇中及び上昇した後の所定時間の間、該開閉ユニットによる便座の自動開閉を停止させる手段を備えたことを特徴とするものである。
【０００９】
かかる便器設備にあっては、便座支持部材を浮上させている間及び浮上状態とした後の所定時間の間は自動開閉が停止される。そのため、この間に、便座の自動開閉に邪魔されることなく、便座や鉢面等を清掃することができる。
【００１０】
また、本発明（請求項２）の便器設備は、便器本体と、該便器本体に昇降可能に設けられた便座支持部材と、該便座支持部材に起倒可能に支持された便座と、該便座を開閉駆動する開閉ユニットと、を有する便器設備において、該便座支持部材が降下中及び便器本体上に降下した後の所定時間の間、該開閉ユニットによる便座の自動開閉を停止させる手段を備えたことを特徴とするものである。
【００１１】
かかる便器設備にあっては、浮上状態にある便座支持部材を便器本体上に降下させている間及び降下させた後の所定時間の間は自動開閉が停止される。そのため、この間に、便座の自動開閉に邪魔されることなく、便座や鉢面等を清掃することができる。
【００１２】
請求項３の通り、便座支持部材が上昇を開始してから便座支持部材が再び便器本体上に降下し、次いで所定時間が経過するまでの間、便座の自動開閉を停止させることが好ましい。
【００１３】
なお、本発明では、便座の自動開閉に連動させて便蓋も自動開閉させてもよいことは明らかである。
【００１４】
【発明の実施の形態】
以下、図面を参照して実施の形態について説明する。図１は実施の形態に係る便器設備の側面図であり、（ａ）図は便座支持部材の浮上前、（ｂ）図は便座支持部材の浮上後の状態を示している。図２は、この便器設備の斜視図、図３は制御ブロック図である。なお、以下、便座支持部材が便器本体上に降下したことを着底ということがある。
【００１５】
陶器製の洋風便器本体１の後部上面に便座支持部材２が昇降可能に設置されており、この便座支持部材２に便座３ｅ及び便蓋３ｆが起倒方向回動自在に取り付けられている。図１，２に図示はしないが、この便座３ｅには、該便座３ｅへの着座を検知する静電容量変化型の着座センサが組み込まれている。
【００１６】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル１０，１１及びモータ駆動式温水切替弁装置１２が設置されている。また、このフロントベースプレート３ａの底面には、便座支持部材２が浮上したときにその下側領域Ｓを照らすための照明３ｇが設けられている。この照明３ｇとしてはＬＥＤが好適であるが、これに限定されない。
【００１７】
また、このフロントベースプレート３ａ上には、便座３ｅ及び便蓋３ｆを開閉させる電動開閉ユニット１３、人体臀部に向けて温風を吹き出してその乾燥を行う温風ファン１４、便鉢内から臭気を含んだ空気を吸引して脱臭する脱臭ファン１５及び脱臭カートリッジ１６が設けられている。
【００１８】
さらに、図１，２に図示はしないが、このフロントベースプレート３ａには、該フロントベースプレート３ａが洋風便器本体１上に着底していることを検出するためのリミットスイッチ等の着底検知センサが設けられている。
【００１９】
カバー３ｄには、便器本体１に近づいたり離反した人体を検知するための人体検知センサ１７，１８が設けられている。
【００２０】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ（図１にのみ図示）、便座支持部材２を押し上げたり、降下させたりするためのモータ駆動式浮上ユニット２０、ヒータ及び電動ファンよりなる部屋暖房ファン２１、電源基板２２、制御回路基板２３、便鉢やトラップ部へ水を供給するためのバルブユニット２４等が設けられている。
【００２１】
制御回路基板２３には、切替弁装置１２、開閉ユニット１３、温風ファン１４、脱臭ファン１５、浮上ユニット２０、暖房ファン２１、バルブユニット２４等を制御するためのそれぞれの制御回路が搭載されている。
【００２２】
この温水洗浄機構は、トイレルームの壁面に取り付けられたリモコンによって操作される。また、このリモコンには、浮上ユニット２０を浮上動作させるための浮上スイッチと、浮上ユニット２０を下降動作させるための下降スイッチ等が設けられている。
【００２３】
なお、リモコンには、ノズル１０，１１から噴出する温水の温度や噴出水量、ノズル前進位置、温風ファンの動作などを調整、制御するための多数種類のスイッチが設けられている。この多数種類のスイッチのうち特定の４個（３個又は５個以上でもよい。）のスイッチを特定の順番に操作すると自動開閉停止信号が発信される。また、特定の４個のスイッチを別の特定の順番に操作すると自動開閉設定信号が発信される。さらに、この実施の形態にあっては、リモコンの４個のスイッチを別の特定の順番で操作すると、自動開閉停止時間ｔの長さを変更することができるよう構成されている。これらのスイッチの組合せは、商品使用説明書のメンテナンスマニュアルにのみ記載されており、便座支持部材の取付作業時や修理作業時などにのみ操作されるように構成されている。
【００２４】
図３に示す通り、着底検知センサの信号のほか、人体検知センサ１７，１８の人体検知信号と、自動開閉停止信号及び自動開閉設定信号が開閉ユニット１３の制御回路に入力されている。
【００２５】
この便器設備の作動について次に説明する。
【００２６】
リモコンの浮上スイッチを操作すると、浮上ユニット２０が便座支持部材２のフロントベースプレート３ａを所定高さまで押し上げ、その状態に停止させる。また、便座支持部材２が上昇すると、照明３ｇが点灯する。これにより、浮上した便座支持部材２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。
【００２７】
リモコンの下降スイッチを操作すると、浮上ユニット２０は、着底検知センサが便座支持部材２の着底を検知するまで該フロントベースプレート３ａを下降させる。
【００２８】
この実施の形態に係る便器設備にあっては、通常は自動開閉が設定されているが、便座支持部材が浮上を開始した後再び着底するまでの間及び該便座支持部材２が着底してから所定時間ｔの間は、自動開閉が停止され、これらの間は自動開閉が行われない。このため、清掃作業者が人体検知センサ１７，１８で検知されても便座３ｅ及び便蓋３ｆは回動せず、この間便座３ｅ及び便蓋３ｆに邪魔されることなく清掃を行うことができる。着底後、所定時間ｔが経過すると、自動開閉が実行されるようになる。この所定時間ｔは、便座支持部材２の着底後に計時が開始されるものであるため、当該便器の清掃作業者が便座支持部材２の着底後に行う清掃作業時間に見合うように設定することができる。そのため、清掃途中で自動開閉モードに復帰したり、清掃終了後にも徒に長時間自動開閉停止モードのままとなることが防止される。
【００２９】
図４は、この便器設備の作動制御の詳細を示すフローチャートである。便器設備の電源がＯＮとなることにより制御がスタートし、まずステップ４０において、着底センサにより、便座支持部材２が着底しているかどうかを検出する。通常は、便座支持部材２は着底しているので、ステップ４０からステップ４１に進み、フラグＦにＦ＝０（着底対応）を設定し、ステップ４２に進む。このステップ４２では、リモコンから自動開閉停止信号が入力されるかどうか判定する。通常は自動開閉停止信号は入力されないので、ステップ４３に進み自動開閉モードを設定し、ステップ４４に進む。ステップ４４において便座支持部材２が浮上状態（即ち着底検知センサが着底を検知していない状態）であるかどうか判定する。当初は、着底したままとなっているので、ステップ４４からステップ４５に進み、Ｆ＝０であるのでステップ４６に進む。そして、人体検知センサ１７，１８の検知信号に基づいて、人体が居ないときにはステップ４７にて便座３ｅ及び便蓋３ｆを閉（倒状）とし、人体が居るときにはステップ４８にて便座３ｅ及び便蓋３ｆを開（起立）とし、その後それぞれステップ４４に戻る。暫くはステップ４４，４５，４６，４７又は４８を循環する。
【００３０】
この間に便座支持部材２が浮上した場合、ステップ４４からステップ５０に移り、フラグＦにＦ＝１（浮上対応）を設定し、ステップ５１にて自動開閉停止モードとした後、ステップ４４に戻る。暫くはステップ４４，５０，５１を循環する。
【００３１】
やがて便座支持部材２が再度着底したときには、ステップ４４からステップ４５に移り、Ｆ＝１であるためステップ４５からステップ５２に移り、Ｆ＝０を設定し、自動開閉停止モードを保ったままタイマをスタートさせ（ステップ５３，５４）、タイマが時間ｔを経時するまで自動開閉停止モードのままとする（ステップ５５）。時間ｔが経過した後、ステップ５６に移り、自動開閉モードを設定した後、ステップ４２に戻る。
【００３２】
通常は、上記のステップ４２〜４８及びステップ５０〜５６を繰り返すことになる。
【００３３】
便座支持部材２の据え付け時やメンテナンス等に際してマニュアル操作により自動開閉を停止することもできる。即ち、前記のリモコンの４個のスイッチを特定の順番で操作して自動開閉停止信号を発信させると、ステップ４２からステップ６０に移り、自動開閉停止モードとし、その後リモコンの４個のスイッチの特定順番での操作により発せられる自動開閉設定信号が入力されるまで自動開閉停止モードを保ち（ステップ６１）、自動開閉設定信号が入力されると、ステップ４２に戻り、次いでステップ４３に移って自動開閉を設定する。
【００３４】
制御スタート時に非着底状態となっているときには、ステップ４０からステップ４４に移り、前記の制御を実行する。
【００３５】
なお、時間ｔは１〜１０分、特に２分程度とするのが好ましいが、これよりも短くても長くてもよい。この時間ｔの経過満了前に、間も無く自動開閉停止モードが終了することを示す警報（例えば音声やＬＥＤの点滅など）を発するようにしてもよい。着底後、例えば１分を経過する度に経過時間を音声で発するようにしてもよい。
【００３６】
なお、上記実施の形態はいずれも本発明の一例であり、本発明は図示以外の構成とされてもよいことは明らかである。
【００３７】
本発明では、便座支持部材が上昇中及び上昇した後の所定時間の間、自動開閉を停止してもよい。
【００３８】
また、本発明では、便座支持部材が降下中及び便器本体上に降下した後の所定時間の間、自動開閉を停止してもよい。
【００３９】
上記実施の形態では、電動式の浮上ユニット２０を採用しているが、着底検知センサが設けられているので、手動式の便座支持部材昇降機構を採用してもよい。
【００４０】
【発明の効果】
以上の通り、本発明によると、便座支持部材を上昇又は着底させてから所定時間は自動開閉が停止されるので、この間に便座の回動に邪魔されることなく清掃を効率良く行うことができる。本発明によると、この所定時間を清掃作業者にとって都合のよい適正時間とすることができる。
【図面の簡単な説明】
【図１】実施の形態に係る便器設備の側面図である。
【図２】図１の便器設備の斜視図である。
【図３】（ａ）図は実施の形態に係る便器設備の制御ブロック図であり、（ｂ）図はタイミングチャートである。
【図４】図３（ｂ）の制御内容を示すフローチャートである。
【符号の説明】
１　便器本体
２　便座支持部材
３ａ　フロントベースプレート
３ｅ　便座
３ｆ　便蓋
１３　開閉ユニット
１７，１８　人体検知センサ
２０　浮上ユニット
２４　バルブユニット
【図１】
2004113297.tif 000003
【図２】
2004113297.tif 000004
【図３】
2004113297.tif 000005
【図４】
2004113297.tif 000006